(57)【要約】【課題】第１筐体と第２筐体の間に対する薄板状異物の差し込みを確実に防止して、フレキシブルケーブルの損傷を確実に防止できる電子機器を提供する。【解決手段】携帯状態と伸長状態との間で相対的に移動可能に連結された第１筐体２０と第２筐体３０は、配線部材４０により電気的に接続されている。配線部材４０は、第１筐体２０の表面２０２に沿う第１直線部４１と、第２筐体３０の裏面３０１に沿うとともに第１直線部４１に対して略平行な第２直線部４２を有し、第１直線部４１と第２直線部４２間には、半円弧状の折返部４３が設けられている。第１筐体２０の表面２０２および第２筐体３０の裏面３０１のうちの一方における配線部材４０に干渉しない位置には、他方に向かって突出する突部２４、３３が設けられている。この突部２４、３３は、薄板状異物１１がフレキシブルケーブル４０の折返部４３に到達できないように、第１筐体２０および第２筐体３０の相対移動方向に沿った所定の長さの範囲に設けられている。【選択図】図４
2013051662.tif 000002
【特許請求の範囲】
【請求項１】
互いに厚み方向に沿って積層された第１筐体および第２筐体と、
前記第１筐体における前記第２筐体に対面する表面と、前記第２筐体における前記表面に対面する裏面との間に掛け渡された配線部材と、
前記第１筐体の前記表面および前記第２筐体の前記裏面のうちの一方における前記配線部材に干渉しない位置から他方に向かって突出する突部と、を備え、
前記第１筐体および前記第２筐体が、前記厚み方向に対して直交する面方向に沿って最も近付いた携帯状態と、前記面方向に沿って最も離れた伸長状態との間で相対的に移動可能であり、
前記配線部材が、
前記第１筐体の前記表面に沿う第１直線部と、
前記第２筐体の前記裏面に沿うとともに前記第１直線部に対して略平行な第２直線部と、
前記第１直線部および前記第２直線部間に設けられた半円弧状の折返部とを有し、
前記突部が、前記第１筐体および前記第２筐体の相対移動方向に沿った所定の長さの範囲に設けられている電子機器。
【請求項２】
請求項１に記載の電子機器において、
前記突部が、前記厚み方向および前記相対移動方向に対して直交する幅方向から見た側面視において、前記携帯状態および前記伸長状態における前記折返部の位置に対応して設けられている電子機器。
【請求項３】
請求項２に記載の電子機器において、
前記突部が、前記第１筐体の表面に設けられた第１突部と、前記第２筐体の裏面に設けられた第２突部とを有し、
前記第１突部の突出方向の第１頂部と、前記第２突部の突出方向の第２頂部とが、前記側面視において重複している電子機器。
【請求項４】
請求項１ないし請求項３のうちのいずれか１項に記載の電子機器において、
前記突部が、前記相対移動方向に沿って連続するリブである電子機器。
【請求項５】
互いに積層された第１筐体および第２筐体と、
前記第１筐体における前記第２筐体に対面する第１の面と、前記第２筐体における前記第１の面に対面する第２の面と、の間に掛け渡された配線部材と、
前記第１の面および前記第２の面における前記配線部材に干渉しない位置から他方の面に向かって突出する突部と、を備え、
前記第１筐体と前記第２筐体とが、第１筐体および第２筐体が積層された方向に対して直交する方向に沿って相対的に移動可能であり、
前記配線部材が、配線の途中で半円弧状に折返されて配置され、前記第１筐体と前記第２筐体との相対的な移動に伴って、半円弧状に折返された部分が前記第１筐体と前記第２筐体との相対的な移動方向に沿って軌跡を描き、
前記突部が、前記第１筐体と前記第２筐体との相対的な移動方向に沿って、少なくとも前記配線部材の半円弧状に折返された部分の軌跡の範囲に設けられている電子機器。
【請求項６】
互いに厚み方向に沿って積層された第１筐体および第２筐体と、
前記第１筐体における前記第２筐体に対面する表面に設けられた第１引出部と、前記第２筐体における前記表面に対面する裏面に設けられた第２引出部との間に掛け渡された配線部材と、
前記第１筐体の前記表面および前記第２筐体の前記裏面のうちの一方における前記配線部材に干渉しない位置から他方に向かって突出する突部と、を備え、
前記第１筐体および前記第２筐体が、前記厚み方向に対して直交する面方向に沿って最も近付いた携帯状態と、前記面方向に沿って最も離れた伸長状態との間で相対的に移動可能であり、
前記配線部材が、
前記第１筐体の前記表面に沿う第１直線部と、
前記第２筐体の前記裏面に沿うとともに前記第１直線部に対して略平行な第２直線部と、
前記第１直線部および前記第２直線部間に設けられた折返部とを有し、
前記突部が、前記第１筐体および前記第２筐体の相対移動方向に沿った前記第１直線部および前記第２直線部のうちの少なくとも一方に対応するとともに、前記第１引出部および前記第２引出部のうちの少なくとも一方までの範囲に設けられている電子機器。
【請求項７】
請求項６に記載の電子機器において、
前記突部が、前記相対移動方向に沿って連続するリブであるとともに、前記第１筐体および前記第２筐体のうちの少なくとも一方における幅方向の両側に設けられている電子機器。
【請求項８】
請求項６または請求項７に記載の電子機器において、
前記突部が、前記伸長状態において露呈しない位置に設けられている電子機器。
【発明の詳細な説明】
【技術分野】
【０００１】
本発明は、スライド式に連結される第１筐体と第２筐体との間を、フレキシブルケーブルにより電気的に接続する電子機器に関するものである。
【背景技術】
【０００２】
従来より、図１５（Ａ）、（Ｂ）および図１６（Ａ）、（Ｂ）に示すように、電子機器である携帯端末１００には、第１筐体１０１と第２筐体１０２とが、携帯状態（図１５（Ａ）、（Ｂ）参照）と伸張状態（図１６（Ａ）、（Ｂ）参照）との間で相対的にスライドするスライド式のものがある。このようなスライド式の携帯端末では、第１筐体１０１と第２筐体１０２とを電気的に接続するのに、フレキシブルケーブル１０３を用いるのが一般的である。
【０００３】
しかしながら、図１５（Ａ）、（Ｂ）に示すように、第１筐体１０１と第２筐体１０２との間に、クレジットカードやプリペイドカード等の薄板状異物１０４が差し込まれて、フレキシブルケーブル１０３の折返部１０３Ａの内部に進入する可能性がある。
この場合、携帯状態から伸長状態となると、図１６（Ａ）、（Ｂ）に示すように、第１筐体１０１および第２筐体１０２の相対移動に追従して折返部１０３Ａが移動する。このため、フレキシブルケーブル１０３の折返部１０３Ａの内側が薄板状異物１０４に強圧され、フレキシブケーブル１０３が切断される可能性がある。
【０００４】
ところで、第１筐体および第２筐体間の隙間を一定に保つために、第１筐体の表面におけるフレキシブルケーブルに干渉しない位置から第２筐体の裏面に向かって突出する突部を備えた携帯端末が提案されている（例えば、特許文献１参照）。
【先行技術文献】
【特許文献】
【０００５】
【特許文献１】特許第４４４０３２４号公報（段落００６３、図３、図４）
【発明の概要】
【発明が解決しようとする課題】
【０００６】
特許文献１によれば、突部が設けられているため、第１筐体・第２筐体間に薄板状異物が差し込まれ難い。仮に第１筐体・第２筐体間に薄板状異物が差し込まれた場合であっても、第１筐体・第２筐体の相対移動に追従する突部により、薄板状異物が第１筐体・第２筐体間から排出されやすく、これらによりフレキシブケーブルが切断される可能性が低い。
そして、近年では、第１筐体・第２筐体間に対する薄板状異物の差し込みを、より確実に防止できる電子機器が求められている。
【０００７】
本発明は、従来の問題を解決するためになされたもので、第１筐体と第２筐体の間に対する薄板状異物の差し込みを確実に防止して、フレキシブルケーブルの損傷を確実に防止できる電子機器を提供することを目的とする。
【課題を解決するための手段】
【０００８】
本発明の電子機器は、互いに厚み方向に沿って積層された第１筐体および第２筐体と、前記第１筐体における前記第２筐体に対面する表面と、前記第２筐体における前記表面に対面する裏面との間に掛け渡された配線部材と、前記第１筐体の前記表面および前記第２筐体の前記裏面のうちの一方における前記配線部材に干渉しない位置から他方に向かって突出する突部と、を備え、前記第１筐体および前記第２筐体が、前記厚み方向に対して直交する面方向に沿って最も近付いた携帯状態と、前記面方向に沿って最も離れた伸長状態との間で相対的に移動可能であり、前記配線部材が、前記第１筐体の前記表面に沿う第１直線部と、前記第２筐体の前記裏面に沿うとともに前記第１直線部に対して略平行な第２直線部と、前記第１直線部および前記第２直線部間に設けられた半円弧状の折返部とを有し、前記突部が、前記第１筐体および前記第２筐体の相対移動方向に沿った所定の長さの範囲に設けられているものである。
【０００９】
また、本発明の電子機器は、前記突部が、前記厚み方向および前記相対移動方向に対して直交する幅方向から見た側面視において、前記携帯状態および前記伸長状態における前記折返部の位置に対応して設けられているものである。
【００１０】
また、本発明の電子機器は、前記突部が、前記第１筐体の表面に設けられた第１突部と、前記第２筐体の裏面に設けられた第２突部とを有し、前記第１突部の突出方向の第１頂部と、前記第２突部の突出方向の第２頂部とが、前記側面視において重複しているものである。
【００１１】
さらに、本発明の電子機器は前記突部が、前記相対移動方向に沿って連続するリブであるものである。
【００１２】
また、本発明の電子機器は、互いに積層された第１筐体および第２筐体と、前記第１筐体における前記第２筐体に対面する第１の面と、前記第２筐体における前記第１の面に対面する第２の面と、の間に掛け渡された配線部材と、前記第１の面および前記第２の面における前記配線部材に干渉しない位置から他方の面に向かって突出する突部と、を備え、前記第１筐体と前記第２筐体とが、第１筐体および第２筐体が積層された方向に対して直交する方向に沿って相対的に移動可能であり、前記配線部材が、配線の途中で半円弧状に折返されて配置され、前記第１筐体と前記第２筐体との相対的な移動に伴って、半円弧状に折返された部分が前記第１筐体と前記第２筐体との相対的な移動方向に沿って軌跡を描き、前記突部が、前記第１筐体と前記第２筐体との相対的な移動方向に沿って、少なくとも前記配線部材の半円弧状に折返された部分の軌跡の範囲に設けられている。
【００１３】
また、本発明の電子機器は、互いに厚み方向に沿って積層された第１筐体および第２筐体と、前記第１筐体における前記第２筐体に対面する表面に設けられた第１引出部と、前記第２筐体における前記表面に対面する裏面に設けられた第２引出部との間に掛け渡された配線部材と、前記第１筐体の前記表面および前記第２筐体の前記裏面のうちの一方における前記配線部材に干渉しない位置から他方に向かって突出する突部と、を備え、前記第１筐体および前記第２筐体が、前記厚み方向に対して直交する面方向に沿って最も近付いた携帯状態と、前記面方向に沿って最も離れた伸長状態との間で相対的に移動可能であり、前記配線部材が、前記第１筐体の前記表面に沿う第１直線部と、前記第２筐体の前記裏面に沿うとともに前記第１直線部に対して略平行な第２直線部と、前記第１直線部および前記第２直線部間に設けられた折返部とを有し、前記突部が、前記第１筐体および前記第２筐体の相対移動方向に沿った前記第１直線部および前記第２直線部のうちの少なくとも一方に対応するとともに、前記第１引出部および前記第２引出部のうちの少なくとも一方までの範囲に設けられているものである。
【００１４】
また、本発明の電子機器は、前記突部が、前記相対移動方向に沿って連続するリブであるとともに、前記第１筐体および前記第２筐体のうちの少なくとも一方における幅方向の両側に設けられているものである。
【００１５】
さらに、本発明の電子機器は、前記突部が、前記伸長状態において露呈しない位置に設けられているものである。
【発明の効果】
【００１６】
本発明では、第１筐体の表面および第２筐体の裏面のうちの一方における配線部材に干渉しない位置に、他方に向かって突出する突部が設けられている。この突部は、薄板状異物がフレキシブルケーブルの折返部に到達できないように、第１筐体および第２筐体の相対移動方向に沿った所定の長さの範囲に設けられている。このため、この範囲では薄板状異物は突部によって侵入が阻止され、薄板状異物によってフレキシブルケーブルの折返部を傷つけるのを確実に防止できるという効果を有する電子機器を提供できる。
【図面の簡単な説明】
【００１７】
【図１】（Ａ）は本発明に係る第１実施形態の携帯端末の携帯状態の斜視図であり、（Ｂ）は伸張状態の斜視図
【図２】（Ａ）は携帯状態におけるフレキシブルケーブルの状態を示す断面図であり、（Ｂ）は伸張状態におけるフレキシブルケーブルの状態を示す断面図
【図３】フレキシブルケーブルの長手方向に沿った断面図
【図４】図２（Ａ）中ＩＶ−ＩＶ位置の断面図
【図５】図４中Ｖ部分の拡大図
【図６】突部を上下一方の筐体に設けた変形例を示す断面図
【図７】突部が上下に重ならない変形例を示す断面図
【図８】突部が複数個の突起を直線上に並べた場合の変形例を示す説明図
【図９】本発明に係る第２実施形態の携帯端末におけるフレキシブルケーブルの配線状態を示す断面図
【図１０】（Ａ）は携帯状態におけるフレキシブルケーブルの状態を示す断面図であり、（Ｂ）は伸張状態におけるフレキシブルケーブルの状態を示す断面図
【図１１】薄板状異物がフレキシブルケーブルの折返部側から侵入した場合の問題点を示す断面図
【図１２】図１０（Ａ）中ＸＩＩ−ＸＩＩ位置の断面図
【図１３】図１２中ＸＩＩＩ部分の拡大図
【図１４】（Ａ）は両縁部を補強したフレキシブルケーブルの平面図であり、（Ｂ）は断面図
【図１５】（Ａ）従来の携帯端末の携帯状態において薄板状異物が侵入する場合の平面図であり、（Ｂ）は側面図
【図１６】（Ａ）従来の携帯端末の伸張状態において薄板状異物が侵入してフレキシブルケーブルを傷つける場合の平面図であり、（Ｂ）は側面図
【発明を実施するための形態】
【００１８】
（第１実施形態）
以下、本発明に係る第１実施形態の電子機器について、図面を用いて説明する。
図１（Ａ）、（Ｂ）に示すように、本発明に係る第１実施形態の電子機器であるスライド式携帯端末（以後、「携帯端末」という）１０は、互いに厚み方向に沿って積層された第１筐体である上筐体２０と第２筐体である下筐体３０とを有する。
上筐体２０および下筐体３０は、上筐体２０および下筐体３０の間に介装された連結部（図示省略）により、積層方向に対して交差する面方向（前後方向）に沿って相対的にスライド可能に結合されている。
すなわち、上筐体２０および下筐体３０は、厚み方向に対して直交する面方向に沿って最も近付いた携帯状態（図１（Ａ）参照）と、この面方向に沿って最も離れた伸長状態（図１（Ｂ）参照）との間で相対的に移動可能となっている。
【００１９】
なお、以下の説明において、使用者が後述する表示部２１を見る場合において、表示部２１側（図１（Ａ）、（Ｂ）において上側）を上側と云い、反対側（図１（Ａ）、（Ｂ）において下側）を下側と云うこととする。
また、使用者が表示部２１を見る状態において先方となる側を前側（図１（Ａ）、（Ｂ）中右上側）と云い、手元側となる側を後側と云うこととする。
【００２０】
上筐体２０は、上面２０１の前端部から中央下部にかけて前述した表示部２１を有し、表示部２１の後方には複数の機能キー２２１を有する第１操作部２２が設けられている。また、上面の前端部には、スピーカ２３が取り付けられている。
一方、下筐体３０は、上面３０１の後部に複数の入力キー３１１を有する第２操作部３１が設けられており、第２操作部３１の後側にはマイク３２が設けられている。従って、マイク３２は、携帯状態では外側に露出しない。
【００２１】
上筐体２０における下筐体３０に対面する表面（下面２０２、図２（Ａ）、（Ｂ）参照）と、下筐体３０における上筐体２０の下面２０２に対面する裏面（上面３０１）との間には、配線部材であるフレキシブルケーブル４０が掛け渡されており、電気的に接続されている。
図２（Ａ）、（Ｂ）に示すように、フレキシブルケーブル４０は、上筐体２０の下面２０２に沿う第１直線部４１と、下筐体３０の上面３０１に沿うとともに第１直線部４１に対して略平行な第２直線部４２とを有する。第１直線部４１と第２直線部４２との間には、略半円弧状の折返部４３が設けられる。
【００２２】
ここで、図３に示すように、フレキシブルケーブル４０の折返部４３とは、第１直線部４１と第２直線部４２を連結する略半円形状の部分であり、第１直線部４１の後端部４１１と第２直線部４２の後端部４２１から突出する略半円形状の部分である。すなわち、半円の半径をＲとすると、半円の中心点ＣＰから外側にＲの範囲である。
なお、折返部４３の形状はあまり変わらないが、折返部４３の位置は、上筐体２０と下筐体３０との間のスライド移動に伴って、移動する（図２（Ａ）、（Ｂ）参照）。
【００２３】
図４および図５に示すように、上筐体２０の下面２０２には、下筐体３０側に向かって突出する第１突部である上突部２４が設けられており、先端面（下端面）に第１頂部２４１を有する。
また、下筐体３０の上面３０１には、上筐体２０側に突出する第２突部である下突部３３が設けられている。
なお、以後の説明において、上突部２４および下突部３３を総称する場合には、「突部２４，３３」で表示することとする。
【００２４】
図５に示すように、下突部３３は、全体三角形状をしており、先端（上端）に第２頂部３３１を有する。下突部３３は、下筐体３０の幅方向外側に垂直に立ち上がる縦壁３３２を有し、第２頂部３３１から下筐体３０の幅方向内側に向かって傾斜面３３３を有する。
このため、傾斜面３３３の内側に空間Ｓができるので、他部品の逃げ場等にしたりして、利用することができる。
【００２５】
図４に示すように、上突部２４および下突部３３は、フレキシブルケーブル４０に干渉しない位置、すなわち、フレキシブルケーブル４０の幅方向外側位置において、他方に向かって突出して設けられている。
また、各突部２４、３３は、上筐体２０および下筐体３０の相対移動方向に沿って、所定の長さの範囲に連続してリブ状に設けられている。なお、リブ状に設けられている各突部２４、３３は、必ずしも全長にわたって連続するものに限らず、途中に隙間部分を設けることもできる。
【００２６】
ここで、所定の長さの範囲とは、図２（Ａ）に示す携帯状態および図２（Ｂ）に示す伸張状態において、フレキシブルケーブル４０の折返部４３に薄板状異物１１が到達できないような範囲である。従って、各突部２４、３３は、図２（Ａ）に示す携帯状態において最も後方（図２（Ａ）、（Ｂ）において左側）位置にある折返部４３から、図２（Ｂ）に示す伸張状態において最も前方（図２（Ａ）、（Ｂ）において右側）位置にある折返部４３をカバーする。さらに、伸張状態においては、折返部４３の前方から薄板状異物１１の侵入を防止するために、折返部４３の前方に余長部分Ｌ１を有する。
これにより、薄板状異物１１が側方から折返部４３に当接したり、前方から折返部４３に侵入するのを、確実に防止する。
【００２７】
図４に示すように、上突部２４の第１頂部２４１と、下突部３３の第２頂部３３１とが、側面視において上下方向に重複（重複部Ｌ２）している。
このため、図４中左端に示すように、薄板状異物１１が水平に侵入してくると、下突部３３が侵入を防止する。また、図４右端に示すように、薄板状異物１１が斜めに侵入して、下突部３３の上の隙間からさらに侵入しても、上突部２４が薄板状異物１１の侵入を防止する。
【００２８】
以上、説明した本発明に係る第１実施形態の携帯端末１０によれば、相対的に移動可能に連結された上筐体２０と下筐体３０とは、フレキシブルケーブル４０によって電気的に接続されている。このフレキシブルケーブル４０は、上筐体２０の下面２０２に沿う第１直線部４１と、下筐体３０の上面３０１に沿うとともに第１直線部４１に対して略平行な第２直線部４２を有する。そして、第１直線部４１と第２直線部４２の間には、半円弧状の折返部４３が設けられている。
上筐体２０の下面２０２および下筐体３０の上面３０１のうちの一方におけるフレキシブルケーブル４０に干渉しない位置には、他方に向かって突出する突部２４、３３が設けられている。この突部２４、３３は、薄板状異物１１がフレキシブルケーブル４０の折返部４３に到達できないように、上筐体２０および下筐体３０の相対移動方向に沿った所定の長さの範囲に設けられている。
このため、この範囲では薄板状異物１１は突部２４、３３によって侵入が阻止され、薄板状異物１１によってフレキシブルケーブル４０の折返部４３を傷つけるのを確実に防止できる。
【００２９】
また、本発明にかかる携帯端末１０によれば、突部２４、３３が、携帯状態および伸長状態における折返部４３の位置に対応して設けられている。
このため、携帯状態から伸張状態の間に、薄板状異物１１がフレキシブルケーブル４０の折返部４３に侵入するのを防止して、フレキシブルケーブル４０を損傷するのを防止できる。
【００３０】
また、本発明にかかる携帯端末１０によれば、突部２４、３３が、上筐体２０の下面２０２に設けられた上突部２４と、下筐体３０の上面３０１に設けられた下突部３３とを有する。そして、上突部２４の突出方向の第１頂部２４１と、下突部３０の突出方向の第２頂部３３１とが、高さ方向で重複している。
このため、薄板状異物１１の侵入を確実に防止できる。
【００３１】
また、本発明にかかる携帯端末１０によれば、突部２４、３３が、相対移動方向に沿って連続するリブ状であるので、薄板状異物１１の侵入を確実に防止できる。
【００３２】
なお、前述した第１実施形態においては、突部２４、３３を上筐体２０および下筐体３０の両方に設けた場合を例示したが、図６に示すように、一方の筐体（図６においては上筐体２０）のみに突部２４を設けることも可能である。
【００３３】
また、前述した第１実施形態においては、上突部２４の第１頂部２４１と、下突部３３の第２頂部３３１とが、厚み方向に重なる場合を例示したが、図７に示すように、両突部２４、３３がラップしない場合にも適用可能である。
すなわち、第１頂部２４１と第２頂部３３１との間に隙間Ｄがある場合にも適用可能である。
【００３４】
また、前述した第１実施形態においては、突部２４、３３が連続する場合について例示したが、図８に示すように、突部として複数個の突起２５、３４を直線上に並べた場合にも適用可能である。
なお、突起２５は上筐体の下面２０２に設けたものを示し、突起３４は下筐体３０の上面３０１に設けたものを示す。
この場合、隣接する突起２５、３４との間隔は、少なくとも薄板状異物１１が侵入できない間隔とする。
【００３５】
（第２実施形態）
次に、本発明に係る第２実施形態の電子機器について、図面を用いて説明する。
なお、前述した第１実施形態に係る携帯端末１０と共通する部位には同じ符号を付して、重複する説明を省略することとする。
【００３６】
図９に示すように、第２実施形態に係る携帯端末１０Ｂでは、配線部材であるフレキシブルケーブル４０Ｂは、上筐体２０から引き出される第１引出部４４，第１直線部４１，折返部４３，第２直線部４２，下筐体３０から引き出される第２引出部４５を有する。
なお、ここでは、フレキシブルケーブル４０Ｂの一方は下筐体３０から直接引き出され、他方は上筐体２０からコネクタ４６を介して引き出される。
【００３７】
図１１に示すように、折返部４３側から薄板状異物１１が侵入しようとして折返部４３に接触すると、薄板状異物１１は折返部４３の外面に沿ってフレキシブルケーブル４０Ｂと上筐体２０との間、あるいは下筐体３０との間に導かれる（図１１中矢印参照）。
そして、薄板状異物１１が、上筐体２０の下面２０２あるいは下筐体３０の上面３０１に沿ってさらに侵入すると、第１引出部４４あるいは第２引出部４５を切断や損傷させる虞がある。
【００３８】
このため、図１０（Ａ）および（Ｂ）に示すように、上筐体２０の下面２０２（表面）および下筐体３０の上面２０１（裏面）に、配線部材４０Ｂに干渉しない位置において、他方に向かって突出する上突部２５および下突部３４を設ける。
なお、以後の説明において、上突部２５および下突部３４を総称する場合には、「突部２５，３４」で表示することとする。
突部２５，３４は、上筐体２０および下筐体３０の相対移動方向に沿った第１直線部４１および第２直線部４２のうちの少なくとも一方（図１０においては両方）に対応して設けられている。なお、「対応して」とは、携帯状態および伸張状態のいずれの場合においてでもある。
【００３９】
さらに、突部２５，３４は、第１引出部４４および第２引出部４５のうちの少なくとも一方（図１０においては両方）までの範囲に設けられている。
なお、突部２５，３４は、図１０（Ｂ）に示す伸長状態において露呈しない位置に設ける。すなわち、伸張状態において、上方から突部３４が見えず、下方から突部２５が見えないように、突部２５，３４の長さを設定する。
【００４０】
図１２に示すように、突部２５，３４は、相対移動方向に沿って連続するリブであるとともに、上筐体２０および下筐体３０のうちの少なくとも一方（ここでは、両方）における幅方向の両側に設けられている。
突部２５，３４は、フレキシブルケーブル４０Ｂに干渉しない位置、すなわち、フレキシブルケーブル４０Ｂの幅方向（図１２において左右方向）外側位置において、他方に向かって突出して設けられている。
【００４１】
図１２および図１３に示すように、上突部２５の第１頂部２５１と、下突部３４の第２頂部３４１とが、側面視において上下方向に重複（重複部Ｌ３）するように高さを設定するのが望ましい。
これにより、図１２中左端に示すように、薄板状異物１１が水平に侵入してくると、下突部３３が侵入を防止する。また、図１２右端に示すように、薄板状異物１１が斜めに侵入して、下突部３３の上の隙間からさらに侵入しても、上突部２４が薄板状異物１１の侵入を防止する。
また、フレキシブル基板４０Ｂの折返部４３側（図１２および図１３において紙面直交方向）から薄板状異物１１が侵入してくると、上筐体２０と下筐体３０の間においては、どのような高さ位置でも、必ず上突部２５か下突部３４の少なくとも一方に当接する。
【００４２】
以上、説明した本発明に係る第２実施形態の携帯端末１０Ｂによれば、互いに厚み方向に沿って積層された上筐体２０および下筐体３０において、上筐体２０の第１引出部４４と下筐体３０の第２引出部４５との間に、フレキシブルケーブル４０Ｂを掛け渡した。また、上筐体２０の下面２０２および下筐体３０の上面３０１のうちの一方においてフレキシブルケーブル４０Ｂに干渉しない位置に、他方に向かって突出する突部２５，３４を設けた。フレキシブルケーブル４０Ｂは、上筐体２０の下面２０２に沿う第１直線部４１と、下筐体３０の裏面に沿うとともに第１直線部４１に対して略平行な第２直線部４２と、第１直線部４１および第２直線部４２間に設けられた折返部４３とを有する。
【００４３】
そして、突部２５，３４は、上筐体２０および下筐体３０の相対移動方向に沿った第１直線部４１および第２直線部４２のうちの少なくとも一方に対応するとともに、第１引出部４４および第２引出部４５のうちの少なくとも一方までの範囲に設けられている。
このため、薄板状異物１１が折返部４３の外側に接触しても第１引出部４４あるいは第２引出部４５に薄板状異物が案内させないので、第１引出部４４あるいは第２引出部４５においてフレキシブルケーブル４０Ｂが切断される虞がない。
【００４４】
また、突部２５，３４は、相対移動方向に沿って連続するリブであるとともに、上筐体２０および下筐体３０のうちの少なくとも一方における幅方向の両側に設けられている。
このため、薄板状異物１１がどこから来ても、第１引出部４４あるいは第２引出部４５に案内されず、第１引出部４４あるいは第２引出部４５においてフレキシブルケーブル４０Ｂが切断される虞がない。
【００４５】
さらに、突部２５，３４は、伸長状態において露呈しない位置に設けられているので、外観を損ねない。
【００４６】
なお、本発明の電子機器は、前述した各実施形態に限定されるものでなく、適宜な変形，改良等が可能である。
例えば、前述した各実施形態においては、フレキシブルケーブル４０、４０Ｂの折返部４３が第１直線部４１の後端と第２直線部４２の後端とを連結する場合を例示した。しかしながら、この場合に限らず、第１直線部４１の前端と第２直線部４２の前端とを連結する場合にも適用可能である。
【００４７】
また、前述した実施形態においては、配線部材としてフレキシブルケーブル４０、４０Ｂを用いた場合について例示したが、配線部材として同軸ケーブル等の撚り線を用いる場合にも適用可能である。
【００４８】
さらに、図１４（Ａ）、（Ｂ）に示すように、配線部材として、両縁部を補強材４７で補強したフレキシブルケーブル４０，４０Ｂのものを用いることができる。このとき、フレキシブルケーブル４０，４０Ｂの上下両面から補強材４７で挟んで補強することができるが、上下一方の面のみに補強材４７を取り付けることも可能である。
このようにしても、薄板状異物１１から保護して、フレキシブルケーブル４０，４０Ｂの切断や損傷を防止できる。
【産業上の利用可能性】
【００４９】
以上のように、本発明にかかる電子機器は、第１筐体の表面および第２筐体の裏面のうちの一方における配線部材に干渉しない位置に、他方に向かって突出する突部が設けられている。この突部は、薄板状異物がフレキシブルケーブルの折返部に到達できないように、第１筐体および第２筐体の相対移動方向に沿った所定の長さの範囲に設けられている。このため、この範囲では薄板状異物は突部によって侵入が阻止され、薄板状異物によってフレキシブルケーブルの折返部を傷つけるのを確実に防止できるという効果を有し、スライド式に連結される第１筐体と第２筐体との間を、フレキシブルケーブルにより電気的に接続する電子機器等として有用である。
【符号の説明】
【００５０】
１０、１０Ｂ  携帯端末（電子機器）
２０  上筐体（第１筐体）
２０２  下面（表面）
２４、２５  上突部（突部、第１突部）
２４１、２５１  第１頂部
３０  下筐体（第２筐体）
３０１  上面（裏面）
３３、３４  下突部（突部、第２突部）
３３１、３４１  第２頂部
４０、４０Ｂ  フレキシブルケーブル（配線部材）
４１  第１直線部
４２  第２直線部
４３  折返部
４４  第１引出部
４５  第２引出部
【図１】
2013051662.tif 000003
【図２】
2013051662.tif 000004
【図３】
2013051662.tif 000005
【図４】
2013051662.tif 000006
【図５】
2013051662.tif 000007
【図６】
2013051662.tif 000008
【図７】
2013051662.tif 000009
【図８】
2013051662.tif 000010
【図９】
2013051662.tif 000011
【図１０】
2013051662.tif 000012
【図１１】
2013051662.tif 000013
【図１２】
2013051662.tif 000014
【図１３】
2013051662.tif 000015
【図１４】
2013051662.tif 000016
【図１５】
2013051662.tif 000017
【図１６】
2013051662.tif 000018